(57)【要約】【課題】搬送装置の把手部の動作に連動して切換ゲートの先端部をペーパーガイドの凹部から離間させることが可能な搬送装置を提供する。【解決手段】切換ゲート１１０は、搬送路２４０において搬送される用紙の搬送方向を切り換えるための部材であり、自重によって先端部が凹部２１２に収まる。把手部１７０は、画像形成装置２００から搬送装置１００を開放する際に把持される。リンク機構１１６，１４０，１５０，１６０は、把手部１７０が把持されることに伴って切換ゲート１１０の先端部を凹部２１２から離間させる。また、リンク機構１１６，１４０，１５０，１６０は、画像形成装置２００に向けて突出する突出部１４２を有する。突出部１４２は、先端部に向けて先細りした傾斜面１４４を有し、開放状態の搬送装置１００が閉鎖される際に画像形成装置２００の壁部２６０に接触することに伴って切換ゲート１１０の先端部を凹部２１２から離間させる。【選択図】図１
2011121735.tif 000002
【特許請求の範囲】
【請求項１】
搬送路において搬送される用紙を前記搬送路に保持するために設けられたペーパーガイドであって前記搬送路において搬送される用紙の搬送方向に直交する方向に複数の凹部が形成されたペーパーガイドを有する本体装置に対して、前記本体装置の背面側における鉛直方向の軸を中心に回動可能な搬送装置であって、
前記搬送路において搬送される用紙の搬送方向を切り換えるための切換ゲートであって自重によって先端部が前記凹部に収まる切換ゲートと、
前記本体装置から前記搬送装置を開放する際に把持される把手部と、
前記把手部が把持されることに伴って前記切換ゲートの先端部を前記凹部から離間させるリンク機構と、
を備え、
前記リンク機構は、前記本体装置に向けて突出する第１突出部を有し、
前記第１突出部は、先端部に向けて先細りした傾斜面を有し、開放状態の前記搬送装置が閉鎖される際に前記本体装置の壁部に接触することに伴って前記切換ゲートの先端部を前記凹部から離間させる搬送装置。
【請求項２】
前記本体装置の壁部は、前記第１突出部が先端部に向けて先細りした傾斜面を有することに代えて、先端部に向けて先細りした傾斜面を有する第２突出部を有し、
前記第１突出部は、開放状態の前記搬送装置が閉鎖される際に前記第２突出部に接触することに伴って前記切換ゲートの先端部を前記凹部から離間させる請求項１に記載の搬送装置。
【発明の詳細な説明】
【技術分野】
【０００１】
本発明は、本体装置の背面側における鉛直方向の軸を中心に回動可能な搬送装置に関する。
【背景技術】
【０００２】
本体装置から回動させることが可能な搬送装置としては、例えば、画像形成装置の排紙部周辺の搬送装置がある。この搬送装置を備えた画像形成装置では、排紙部周辺でジャムが発生した際にユーザが搬送装置を回動させてジャムした用紙を取り除く。
【０００３】
ジャムした用紙が画像形成装置本体側のローラ対と搬送装置側のローラ対との間にまたがって残留した場合に搬送装置を回動させると、そのジャムした用紙が破れて画像形成装置本体と搬送装置本体に残留してしまい、ジャム処理が困難になることがあった。
【０００４】
そこで、ジャムが発生して搬送装置を画像形成装置本体から回動させる際に画像形成装置本体側のローラ対の各ローラを離間させることで、ジャムした用紙が破れることを防止する構成が開示されている（例えば、特許文献１参照。）。
【先行技術文献】
【特許文献】
【０００５】
【特許文献１】特開平１１−１４３１５６号公報
【発明の概要】
【発明が解決しようとする課題】
【０００６】
用紙をスイッチバック搬送させることが可能な画像形成装置に備えられる搬送装置には、用紙を適切な搬送路に導くための切換ゲートが設けられている。切換ゲートは、通常は自重により先端部がペーパーガイドに形成された凹部に収まっている。この状態で定着部から搬送された用紙が通過する際に、切換ゲートは、用紙によって先端部が押されて持ち上がる。そしてその用紙がスイッチバックする際には、切換ゲートは、自重によりペーパーガイドの凹部に収まっているため、定着部に逆送されることなくスイッチバック搬送路に搬送される。
【０００７】
このような切換ゲートを設けた搬送装置を画像形成装置本体から回動させようとすると、切換ゲートの先端部がペーパーガイドの凹部に引っかかり、切換ゲートの先端部が折れてしまう虞があった。
【０００８】
そこで、切換ゲートの先端部をペーパーガイドの凹部から離間させるためのソレノイドを設けることで、搬送装置を画像形成装置本体から回動させる際にソレノイドによって切換ゲートの先端部をペーパーガイドの凹部から離間させることができるため、切換ゲートの先端部を保護可能な技術がある。
【０００９】
しかし、この技術は、各部材に加えてソレノイドを余分に配置しなければならないため、その分コストアップにつながる問題があった。また、ソレノイドを配置するためのスペースが必要となるため、装置本体の大型化を招来する問題があった。
【００１０】
そこで本発明の目的は、上記課題に鑑み、搬送装置の把手部の動作に連動して切換ゲートの先端部をペーパーガイドの凹部から離間させることが可能な搬送装置を提供することにある。
【課題を解決するための手段】
【００１１】
本発明の搬送装置は、搬送路において搬送される用紙を前記搬送路に保持するために設けられたペーパーガイドであって前記搬送路において搬送される用紙の搬送方向に直交する方向に複数の凹部が形成されたペーパーガイドを有する本体装置に対して、前記本体装置の背面側における鉛直方向の軸を中心に回動可能に構成されている。また、本発明の搬送装置は、切換ゲート、把手部およびリンク機構を備える。
【００１２】
切換ゲートは、搬送路において搬送される用紙の搬送方向を切り換えるための部材であり、自重によって先端部が凹部に収まる。把手部は、本体装置から搬送装置を開放する際に把持される。リンク機構は、把手部が把持されることに伴って切換ゲートの先端部を凹部から離間させる。また、リンク機構は、本体装置に向けて突出する第１突出部を有する。第１突出部は、先端部に向けて先細りした傾斜面を有し、開放状態の搬送装置が閉鎖される際に本体装置の壁部に接触することに伴って切換ゲートの先端部を凹部から離間させる。
【００１３】
この構成では、本体装置から搬送装置を開放する際に、ユーザが把手部を把持することに連動してペーパーガイドの凹部に収まっている切換ゲートの先端部を持ち上げてペーパーガイドの凹部から切換ゲートの先端部を離間させることによって、搬送装置の本体装置からの開放に伴ってペーパーガイドと切換ゲートとが干渉することがない。
【００１４】
また、開放状態の搬送装置を本体装置に閉鎖する際に、先端部に向けて先細りした傾斜面を有する第１突出部が本体装置の壁面に接触することに連動してペーパーガイドの凹部に収まっている切換ゲートの先端部を持ち上げてペーパーガイドの凹部から切換ゲートの先端部を離間させることができるため、搬送装置の本体装置への閉鎖に伴ってペーパーガイドと切換ゲートとが干渉することがない。
【発明の効果】
【００１５】
本発明における搬送装置は、搬送装置の把手部の動作に連動して切換ゲートの先端部をペーパーガイドの凹部から離間させることが可能である。
【図面の簡単な説明】
【００１６】
【図１】本発明の第１実施形態に係る搬送装置とその周辺部の構成を示す図である。
【図２】本発明の第１実施形態に係る搬送装置とその周辺部の構成を示す図である。
【図３】本発明の第１実施形態に係る搬送装置の画像形成装置における位置を示す図である。
【図４】本発明の第１実施形態に係る搬送装置を画像形成装置から開放した状態を示す図である。
【図５】本発明の第１実施形態に係る搬送装置を備える画像形成装置のペーパーガイドの構成を示す図である。
【図６】本発明の第１実施形態に係る搬送装置における切換ゲートの構成を示す図である。
【図７】本発明の第１実施形態に係る搬送装置における切換ゲートの先端部がペーパーガイドの凹部に収まっている状態を示す図である。
【図８】本発明の第１実施形態に係る搬送装置における切換ゲートの先端部がペーパーガイドの凹部から離間している状態を示す図である。
【図９】本発明の第１実施形態に係る搬送装置における切換ゲートを動作させるためのリンク機構を示す図である。
【図１０】本発明の第１実施形態に係る搬送装置における切換ゲートを動作させるためのリンク機構を示す図である。
【図１１】本発明の第１実施形態に係る搬送装置が閉鎖する際の画像形成装置の壁部との関係を示す図である。
【図１２】本発明の第２実施形態に係る搬送装置が閉鎖する際の画像形成装置の壁部との関係を示す図である。
【発明を実施するための形態】
【００１７】
以下、本発明の実施形態に係る搬送装置を、図面を参照しつつ詳細に説明する。
【００１８】
まず、本発明の第１実施形態について説明する。
【００１９】
図１は、搬送装置１００およびその周辺の構成を示す図である。本実施形態に係る搬送装置１００は、本体装置としての画像形成装置２００に備えられている。搬送装置１００は、切換ゲート１１０、排紙トレイ１２０および排紙ローラ１３０を備える。排紙トレイ１２０および排紙ローラ１３０は、本発明の排紙部に相当する。また、画像形成装置２００は、ペーパーガイド２１０、定着部２２０、反転ローラ２３０および搬送路２４０を備える。
【００２０】
切換ゲート１１０は、搬送路２４０において搬送される用紙の搬送方向を切り換えるためのゲートである。切換ゲート１１０は、定着部２２０を通過した用紙によって押されない状態においては図１のように先端部がペーパーガイド２１０に収まっているが、定着部２２０を通過した用紙によって押された状態においては図２のように先端部がペーパーガイド２１０から離間した状態となる。
【００２１】
排紙トレイ１２０は、排紙ローラ１３０によって排紙された用紙を積載する。ペーパーガイド２１０は、定着部２２０と排紙ローラ１３０との間の搬送路２４０において搬送される用紙を搬送路２４０に保持するために設けられている。定着部２２０は、搬送路２４０の上流側における画像形成部において用紙上に転写されたトナーを用紙上に定着する。反転ローラ２３０は、定着部２２０を通過した用紙を一旦挟持し、その後逆転して用紙を排紙トレイ１２０に導く。このとき、切換ゲート１１０は、ペーパーガイド２１０に収まっているため、用紙が定着部２２０に逆送されることがない。
【００２２】
図３は、画像形成装置２００における搬送装置１００の位置を示す図である。なお、図３では、説明の都合上排紙トレイ１２０を図示していない。
【００２３】
本実施形態では、搬送装置１００は、操作パネル２５０が配置される側を正面側とすると、画像形成装置２００の右側面部に配置されている。搬送装置１００は、画像形成装置２００から搬送装置１００を開放する際に把持される把手部１７０を備える。また、搬送装置１００は、画像形成装置２００の背面側に配置されるヒンジ２６０によって画像形成装置２００と接続している。したがって、搬送装置１００は、ヒンジ２６０の作用によって画像形成装置２００の背面側における鉛直方向の軸を中心に画像形成装置２００から回動可能となっている。
【００２４】
搬送装置１００が画像形成装置２００から開放された状態を図４に示す。なお、図４においても、説明の都合上排紙トレイ１２０を図示していない。図３の状態において、ユーザが把手部１７０を把持することによって、図４に示すように、搬送装置１００は画像形成装置２００から開放可能となる。
【００２５】
図５は、ペーパーガイド２１０の斜視図である。ペーパーガイド２１０には、搬送路２４０において搬送される用紙の搬送方向に直交する方向に複数の凹部２１２Ａ〜２１２Ｆが形成されている。凹部２１２Ａ〜２１２Ｆの大きさは、切換ゲート１１０の先端部が収まる程度である。
【００２６】
図６は、切換ゲート１１０の斜視図である。切換ゲート１１０は、ゲート本体１１２Ａ〜１１２Ｆおよび切換軸１１４から構成される。切換軸１１４は、搬送装置１００に揺動可能に支持されている。切換軸１１４の軸方向に直交する方向に向けてゲート本体１１２Ａ〜１１２Ｆがそれぞれ突出している。
【００２７】
図７は、ペーパーガイド２１０の凹部２１２Ａ〜２１２Ｆに切換ゲート１１０の先端部（ゲート本体１１２Ａ〜１１２Ｆ）が収まっている図である。なお、図７では、説明の都合上切換軸１１４を図示していない。ゲート本体１１２Ａ〜１１２Ｆは、図７に示すように、自重によって先端部が凹部２１２Ａ〜２１２Ｆに収まっている。切換ゲート１１０は、軽い樹脂等の素材でできているため、定着部２２０を通過して搬送路２４０において搬送される用紙に押されて容易にゲート本体１１２Ａ〜１１２Ｆの先端部が凹部２１２Ａ〜２１２Ｆから離間する。
【００２８】
この状態を示した図が図８である。なお、図８においても、説明の都合上切換軸１１４を図示していない。図８に示すように、ゲート本体１１２Ａ〜１１２Ｆの先端部が凹部２１２Ａ〜２１２Ｆから離間することで、定着部２２０を通過して搬送路２４０において搬送される用紙がペーパーガイド２１０と切換ゲート１１０との間を通過できる。また、図８の状態は、搬送装置１００の把手部１７０が把持されることによっても生じる。
【００２９】
図９および図１０は、把手部１７０が把持されたときにおいて切換ゲート１１０が揺動する機構を示す図である。搬送装置１００は、把手部１７０が把持されることに伴って切換ゲート１１０の先端部（ゲート本体１１２Ａ〜１１２Ｆ）を凹部２１２Ａ〜２１２Ｆから離間させるリンク機構１８０を備える。リンク機構１８０は、第１リンク部１４０、第２リンク部１５０、第３リンク部１６０および第４リンク部１１６を有する。
【００３０】
第１リンク部１４０は、把手部１７０と連結しており、左右の軸方向（矢印１４３方向）にのみ移動可能である。また、第１リンク部１４０は、第２リンク部１５０と作用するための突出部１４２Ａ，１４２Ｂを有する。
【００３１】
第２リンク部１５０は、上下の軸方向（矢印１５３方向）にのみ移動可能である。第２リンク部１５０は、第１リンク部１４０と作用するための突出部１５１Ａ，１５１Ｂを有する。突出部１５１Ａ，１５１Ｂは、傾斜面１５２Ａ，１５２Ｂをそれぞれ有する。また、第２リンク部１５０は、第３リンク部１６０と作用するための突出部１５４を有する。
【００３２】
第３リンク部１６０は、第２リンク部および第４リンク部と作用することが可能な棒状を呈している。また、第３リンク部１６０は、長軸方向の中心部における軸１６２に揺動可能に支持されている。
【００３３】
第４リンク部１１６は、切換ゲート１１０の切換軸１１４における第３リンク部１６０側の端部に設けられている。第４リンク部１１６は、第３リンク部１６０と作用可能なように切換軸１１４からゲート本体１１２Ａ〜１１２Ｆと同方向に突出している。
【００３４】
把手部１７０が把持されると、第１リンク部１４０は、図９の状態から図１０に示すように左方向に移動する。すると、突出部１４２Ａ，１４２Ｂが第２リンク部１５０の突出部１５１Ａ，１５１Ｂにおける傾斜面１５２Ａ，１５２Ｂと接触することで第２リンク部１５０を下方に押し下げる力が働き、第２リンク部１５０が下方に下がる。これに伴い、突出部１５４が第３リンク部１６０の端部を下方に押し下げ、第３リンク部１６０が軸１６２を中心に揺動し、他端部が上方に移動する。そして、第３リンク部１６０の他端部が第４リンク部１１６を上方に押し上げることで切換軸１１４が回転し、ゲート本体１１２Ａ〜１１２Ｆがペーパーガイド２１０の凹部２１２Ａ〜２１２Ｆから離間する方向に移動する。
【００３５】
本実施形態では、上記のように、搬送装置１００の開放用の把手部１７０の動作に連動するリンク機構１８０によって切換ゲート１１０の先端部（ゲート本体１１２Ａ〜１１２Ｆ）をペーパーガイド２１０の凹部２１２Ａ〜２１２Ｆから離間させることができるため、搬送装置１００の画像形成装置２００からの開放に伴ってペーパーガイド２１０と切換ゲート１１０とが干渉することがない。
【００３６】
また、切換ゲート１１０の先端部（ゲート本体１１２Ａ〜１１２Ｆ）をペーパーガイド２１０の凹部２１２Ａ〜２１２Ｆから離間させるためのソレノイドを余分に配置する必要がないため、その分コストを抑えることができる。さらに、当該ソレノイドを配置するためのスペースが必要ないため、画像形成装置２００の大型化を招来することがない。
【００３７】
図１１は、開放状態の搬送装置１００が閉鎖する際の画像形成装置２００の壁部２６０と第１リンク部１４０の突出部１４２Ａとの作用状態を示す図である。ここでは突出部１４２Ａを例示しているが、突出部１４２Ｂも同様の作用をする。突出部１４２Ａ，１４２Ｂは、本発明の第１突出部に相当する。
【００３８】
突出部１４２Ａは、図１１（Ａ）に示すように、画像形成装置２００に向けて突出している。また、突出部１４２Ａは、先端部に向けて先細りした傾斜面１４４を有する。搬送装置１００が閉鎖する際には、図１１（Ｂ）に示すように、突出部１４２Ａが壁部２６０に押されることで壁部２６０と傾斜面１４４とが作用し、突出部１４２Ａは滑りながら閉鎖方向に進行する。
【００３９】
このとき、第１リンク部１４０は、把手部１７０が把持されたときと同様に図１０に示すように左方向に移動する。したがって、突出部１４２Ａは、第１リンク部１４０、第２リンク部１５０、第３リンク部１６０および第４リンク部１１６の作用により、開放状態の搬送装置１００が閉鎖される際に画像形成装置２００の壁部２６０に接触することに伴って切換ゲート１１０の先端部（ゲート本体１１２Ａ〜１１２Ｆ）を凹部２１２Ａ〜２１２Ｆから離間させることができる。
【００４０】
よって、解放状態の搬送装置１００を画像形成装置２００に閉鎖する際に、先端部に向けて先細りした傾斜面１４４を有する突出部１４２Ａが画像形成装置２００の壁部２６０に接触することに連動してペーパーガイド２１０の凹部２１２Ａ〜２１２Ｆから切換ゲート１１０の先端部（ゲート本体１１２Ａ〜１１２Ｆ）を離間させることができるため、搬送装置１００の画像形成装置２００への閉鎖に伴ってペーパーガイド２１０と切換ゲート１１０とが干渉することがない。
【００４１】
また、切換ゲート１１０の先端部（ゲート本体１１２Ａ〜１１２Ｆ）をペーパーガイド２１０の凹部２１２Ａ〜２１２Ｆから離間させるためのソレノイドを余分に配置する必要がないため、その分コストを抑えることができる。さらに、当該ソレノイドを配置するためのスペースが必要ないため、画像形成装置２００の大型化を招来することがない。
【００４２】
図１１（Ｃ）は、搬送装置１００が完全に閉鎖した状態における突出部１４２Ａと壁部２６０との位置関係を示す図である。突出部１４２Ａは、壁部２６０と係合するための係合部１４６を有する。壁部２６０は、係合部１４６と係合するための被係合部２６２を有する。搬送装置１００が完全に閉鎖した状態においては、係合部１４６と被係合部２６２とが係合するため、搬送装置１００が不用意に開放されることがない。搬送装置１００を開放するには、ユーザが把手部１７０を把持すればよい。
【００４３】
図１１（Ｄ）は、ユーザが把手部１７０を把持した際の突出部１４２Ａと壁部２６０との位置関係を示す図である。このとき、係合部１４６と被係合部２６２との係合が解除されるため、搬送装置１００が開放可能となる。
【００４４】
次に、本発明の第２実施形態について説明する。
【００４５】
図１２は、第１リンク部１４０の突出部１４２Ａと画像形成装置２００の壁部２７０が第１実施形態とは異なる形状を呈する場合を示す図である。壁部２７０は、先端部に向けて先細りした傾斜面２７２を有する突出部２７４を有する。突出部２７４は、本発明の第２突出部に相当する。また、突出部１４２Ａは、突出部２７４と係合するための被係合部１４８を有する。
【００４６】
図１２（Ａ）は、搬送装置１００を閉鎖する途中の状態を示す図である。この状態からさらに搬送装置１００を閉鎖すると、図１２（Ｂ）に示す状態となる。図１２（Ｂ）では、突出部１４２Ａが壁部２７０の突出部２７４に押されることで突出部１４２Ａと傾斜面２７２とが作用し、突出部１４２Ａは傾斜面２７２を滑りながら閉鎖方向に進行する。
【００４７】
このとき、第１リンク部１４０は、把手部１７０が把持されたときと同様に図１０に示すように左方向に移動する。したがって、突出部１４２Ａは、第１リンク部１４０、第２リンク部１５０、第３リンク部１６０および第４リンク部１１６の作用により、開放状態の搬送装置１００が閉鎖される際に画像形成装置２００の壁部２７０の突出部２７４に接触することに伴って切換ゲート１１０の先端部（ゲート本体１１２Ａ〜１１２Ｆ）を凹部２１２Ａ〜２１２Ｆから離間させることができる。
【００４８】
よって、解放状態の搬送装置１００を画像形成装置２００に閉鎖する際に、突出部１４２Ａが画像形成装置２００の壁部２７０において先端部に向けて先細りした傾斜面２７２を有する突出部２７４に接触することに連動してペーパーガイド２１０の凹部２１２Ａ〜２１２Ｆから切換ゲート１１０の先端部（ゲート本体１１２Ａ〜１１２Ｆ）を離間させることができるため、搬送装置１００の画像形成装置２００への閉鎖に伴ってペーパーガイド２１０と切換ゲート１１０とが干渉することがない。
【００４９】
また、切換ゲート１１０の先端部（ゲート本体１１２Ａ〜１１２Ｆ）をペーパーガイド２１０の凹部２１２Ａ〜２１２Ｆから離間させるためのソレノイドを余分に配置する必要がないため、その分コストを抑えることができる。さらに、当該ソレノイドを配置するためのスペースが必要ないため、画像形成装置２００の大型化を招来することがない。
【００５０】
図１２（Ｃ）は、搬送装置１００が完全に閉鎖した状態における突出部１４２Ａと壁部２７０との位置関係を示す図である。搬送装置１００が完全に閉鎖した状態においては、突出部２７４と被係合部１４８とが係合するため、搬送装置１００が不用意に開放されることがない。搬送装置１００を開放するには、ユーザが把手部１７０を把持すればよい。
【００５１】
図１２（Ｄ）は、ユーザが把手部１７０を把持した際の突出部１４２Ａと壁部２７０との位置関係を示す図である。このとき、突出部２７４と被係合部１４８との係合が解除されるため、搬送装置１００が開放可能となる。
【００５２】
なお、第１実施形態および第２実施形態では、ペーパーガイド２１０が、定着部２２０と排紙ローラ１３０との間の搬送路２４０において搬送される用紙を搬送路２４０に保持するために設けられている場合について説明したが、これに限られるものではない。すなわち、第１実施形態および第２実施形態は、ペーパーガイドが、他の箇所における搬送路において搬送される用紙を搬送路に保持するために設けられている場合において、当該ペーパーガイドの凹部に切換ゲートの先端部が収まっている場合にも適用可能である。
【００５３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５４】
１００−搬送装置
１１０−切換ゲート
１１２−ゲート本体
１１６−第４リンク部
１２０−排紙トレイ
１４０−第１リンク部
１４２−突出部
１４４−傾斜面
１５０−第２リンク部
１６０−第３リンク部
１７０−把手部
２００−画像形成装置
２１０−ペーパーガイド
２１２−凹部
２４０−搬送路
２６０−壁部
２７０−壁部
２７２−傾斜面
２７４−突出部
【図１】
2011121735.tif 000003
【図２】
2011121735.tif 000004
【図３】
2011121735.tif 000005
【図４】
2011121735.tif 000006
【図５】
2011121735.tif 000007
【図６】
2011121735.tif 000008
【図７】
2011121735.tif 000009
【図８】
2011121735.tif 000010
【図９】
2011121735.tif 000011
【図１０】
2011121735.tif 000012
【図１１】
2011121735.tif 000013
【図１２】
2011121735.tif 000014